(57)【要約】【課題】不要になった光ディスクを廃棄する際に、該光ディスクに記録されたデータが流出することを防止するために、小型かつ簡単な構成で、光ディスクのデータ領域を損傷することにより、記録されているデータの判読を阻止し、データが流出すること防止する。【解決手段】一対の脚２−２を、一端２１側が開脚可能となるように他端２２側で結合し、前記一端２１側の開脚面に光ディスク１のセンターホール１６近傍を該光ディスク１が回転可能にチャックするチャック部３を形成するとともに、前記脚２の一方の胴部２４内側に光ディスク１のデータ領域を損傷するデータ破壊部４を設ける。【選択図】図１
2004171638.tif 000002
【特許請求の範囲】
【請求項１】
一対の脚を、一端側が開脚可能となるように他端側で結合し、前記一端側の開脚面に光ディスクのセンターホール近傍を該光ディスクが回転可能にチャックするチャック部を設けるとともに、前記脚の一方の胴部内側に光ディスクのデータ領域を損傷するデータ破壊部を、他方の脚の胴部内側に光ディスクを前記データ破壊部側に圧接する圧接部を、それぞれ設けたことを特徴とする光ディスクのデータ破壊装置。
【請求項２】
一対の脚を、一端側が開脚可能となるように他端側で結合し、前記一端側の開脚面に光ディスクのセンターホール近傍を該光ディスクが回転可能にチャックするチャック部を形成するとともに、前記脚の一方の胴部内側に光ディスクのデータ領域を損傷するデータ破壊部を設けたことを特徴とする光ディスクのデータ破壊装置。
【請求項３】
一対の脚を、一端側が開脚可能となるように他端側で結合し、前記脚の一方の胴部内側に光ディスクのデータ領域を損傷するデータ破壊部を設けた本体と、一対の把持脚からなり、少なくともその一端側が開脚可能に形成され、該開脚面に光ディスクのセンターホール近傍をチャックするチャック部を設けた把持具とからなり、該把持具を前記本体の開脚部分に互いに回転可能に勘装してなることを特徴とする光ディスクのデータ破壊装置。
【請求項４】
前記本体の他方の脚の胴部内側に、光ディスクをデータ破壊部側に圧接する圧接部を設けたことを特徴とする請求項３に記載の光ディスクのデータ破壊装置。
【請求項５】
一対の脚を、一端側が開脚可能となるように他端側で結合し、前記一端側の開脚面に光ディスクのセンターホール近傍をチャックするチャック部を形成するとともに、前記脚の一方の胴部内側に設けられた支持軸のボールネジに、光ディスクのデータ領域を損傷するデータ破壊部を螺合し、このデータ破壊部を支持軸の一端側に設けられた傘歯車機構を介して伝達される回転力により、前記脚の一端側と他端側との間を移動可能に構成してなることを特徴とする光ディスクのデータ破壊装置。
【発明の詳細な説明】
【０００１】
【発明の属する技術分野】本発明は、不要になった光ディスクを廃棄する際に、該光ディスクに記録されたデータが流出することを防止する光ディスクのデータ破壊装置に関し、特に小型かつ簡単な構成で光ディスクのデータ領域を損傷することにより、記録されているデータの判読を阻止し、データが流出すること防止するようにしたものである。
【０００２】
【従来の技術】一般に光ディスク、例えば１回だけデータを書き込めるＣＤ−Ｒは、データの保存用などに使用されているものである。そして、その構造は、図１０に示されるようなものである。図１０において、ＣＤ−Ｒ１は、その形状がディスク（円盤）状であり、その内部構造は、レーザが照射される側から、ポリカーボネイトなどからなる基板１１、有機色素層１２、金メッキなどからなる反射層１３、保護膜層１４および印刷ラベル層１５という順序で形成されている。そして、レーザ光を基板１１側から有機色素層１２に向けて照射すると、照射された部分の有機色素が化学反応を起こして光が反射しにくい物質に変化するという現象を利用してデータピットの記録が行なわれる。すなわち、ＣＤ−Ｒは上記の化学変化によってできた部分をピットとして捕らえ、意味としては、ＣＤ−ＲＯＭのピットと同じ意味を持たせ、データをピットとして記録するものである。このようにして形成されたピットは、光の位相差で反射率が低下し、これによってデータを記録することが出来る。前記のデータの記録メカニズムの特徴の一つは、反射層１３を有機色素層１２に密着したままでピットを形成出来る事にある。光反射率が高く、読出パワーがある程度大きくても、しきい値以下なら記録ピットは損傷されない、という特徴をもつ。又機械的強度もある。
【０００３】以上のことからＣＤ−Ｒなどの光ディスクは、データの保存の点からは優れている反面、データを容易には消すことができなく、このような光ディスクを利用している企業では、書き込んだ後に不要になった光ディスクを捨てられなくて困っている。
【０００４】この対策として従来では、データを消去する光ディスクをモータによって回転されるディスク台の上に載置し、データ消去用の刃が取り付けられたスライダーを、ボールネジの回転に伴い外周部に向けて移動するように設け、前記ボールネジを回転駆動用モータにより回転させ、前記スライダーと刃を外周部に向けて移動して行き光ディスク面の書込部分を切削するようにしたものがある（例えば、特許文献１参照）。
【０００５】また、光ディスクの表面に押圧可能でその表面に突起または凹凸などの型が形成された発熱体を携帯可能に把持部に装着した光ディスク消去装置がある（例えば、特許文献２参照）。
【０００６】
【特許文献１】
実開平５−９０６１２号公報
【特許文献２】
実開平１−１２１１５７号公報
【０００７】
【発明が解決しようとする課題】しかし、前者の特許文献１記載の構成では、処理の際、一々光ディスクをディスク台の上にセットするとともに、スライダーと刃を所定位置に移動させセットする必要があり、その手間が煩雑で、処理に時間がかかる他、ディスク台回転用と、ボールネジ回転用に個別にモータが必要であり、勢い大型かつ高価なものとなる。
【０００８】また、後者の特許文献２記載の構成では、摂氏１３５度以上の高熱を用いており、その取り扱いに注意を要するとともに、熱源が必要であり、勢い装置構成が煩雑となる傾向がある他、高価なものとなる、などといった課題があった。
【０００９】また、一方では光ディスク市場は大きく伸びており、さらに普及が見込まれているため、小型かつ簡単にして安価なこの種装置の出現の要望が従来から強く出されていた。
【００１０】本発明は、上述した問題を解決するためになされたものであり、不要になった光ディスクを廃棄する際に、熱源やモータを用いず、効果的に能率よく記録されたデータ領域を損傷することにより、記録されているデータの判読を阻止し、データが流出すること防止するようにした光ディスクのデータ破壊装置を提供することを目的とする。
【００１１】
【課題を解決するための手段】かかる目的を達成するため、請求項１記載の発明では、一対の脚を、一端側が開脚可能となるように他端側で結合し、前記一端側の開脚面に光ディスクのセンターホール近傍を該光ディスクが回転可能にチャックするチャック部を設けるとともに、前記脚の一方の胴部内側に光ディスクのデータ領域を損傷するデータ破壊部を、他方の脚の胴部内側に光ディスクを前記データ破壊部側に圧接する圧接部を、それぞれ設けた、ことを特徴とするデータ破壊装置である。
【００１２】請求項１記載の発明では、不要になった光ディスクを廃棄する際、一対の脚の一端側を開き、この開脚面に処理対象の光ディスクを挿入し、この光ディスクのセンターホール近傍を回転可能にチャック部でチャックし、その状態で一対の脚と、光ディスクとを両手でそれぞれ把持し、光ディスクまたは／および本装置回転すれば、圧接部により光ディスクは、データ破壊部に圧接されながら順次データ破壊部により、該光ディスクの略全面に亘って少なくとも有機色素層および／または反射層によって形成されるデータ領域が簡単に損傷される。
【００１３】請求項２記載の発明では、一対の脚を、一端側が開脚可能となるように他端側で結合し、前記一端側の開脚面に光ディスクのセンターホール近傍を該光ディスクが回転可能にチャックするチャック部を形成するとともに、前記脚の一方の胴部内側に光ディスクのデータ領域を損傷するデータ破壊部を設けた、ことを特徴とする光ディスクのデータ破壊装置。
【００１４】請求項２記載の発明では、前述の請求項１記載の発明同様、不要になった光ディスクを廃棄する際、一対の脚の一端側を開き、この開脚面に処理対象の光ディスクを挿入し、この光ディスクのセンターホール近傍を回転可能にチャック部でチャックし、その状態で一対の脚と、光ディスクとを両手でそれぞれ把持し、光ディスクまたは／および本装置を回転すれば、順次データ破壊部により、該光ディスクの略全面に亘って少なくとも有機色素層および／または反射層によって形成されるデータ領域が簡単に損傷される。
【００１５】請求項３記載の発明では、一対の脚を、一端側が開脚可能となるように他端側で結合し、前記脚の一方の胴部内側に光ディスクのデータ領域を損傷するデータ破壊部を設けた本体と、一対の把持脚からなり、少なくともその一端側が開脚可能に形成され、該開脚面に光ディスクのセンターホール近傍をチャックするチャック部を設けた把持具とからなり、該把持具を前記本体の開脚部分に互いに回転可能に勘装してなる、ことを特徴とする光ディスクのデータ破壊装置。
【００１６】請求項３記載の発明では、不要になった光ディスクを廃棄する際、本体および把持具の一対の脚の一端側を開き、先ず把持具のチャック部により光ディスクのセンターホール近傍をチャックし、その後、本体の開脚を閉じ、その状態で本体と、把持具とを両手でそれぞれ把持し、本体または／および把持具を回転すれば、順次データ破壊部により、該光ディスクの略全面に亘って少なくとも有機色素層および／または反射層によって形成されるデータ領域が簡単に損傷される。また、光ディスクを把持することなく、本体または／および把持具を回転するようにしているので、その操作性が良い。
【００１７】請求項４記載の発明では、前記本体の他方の脚の胴部内側に、光ディスクをデータ破壊部側に圧接する圧接部を設けた、ことを特徴とする請求項３に記載の光ディスクのデータ破壊装置。
【００１８】請求項４記載の発明では、前述の請求項３記載の発明同様不要になった光ディスクを廃棄する際、本体および把持具の一対の脚の一端側を開き、先ず把持具のチャック部により光ディスクのセンターホール近傍をチャックし、その後、本体の開脚を閉じ、その状態で本体と、把持具とを両手でそれぞれ把持し、本体または／および把持具を回転すれば、圧接部により光ディスクは、データ破壊部に所定の圧接力により圧接されながら順次データ破壊部により、該光ディスクの略全面に亘って少なくとも有機色素層および／または反射層によって形成されるデータ領域が簡単に、しかも効率よく損傷される。
【００１９】請求項５記載の発明では、一対の脚を、一端側が開脚可能となるように他端側で結合し、前記一端側の開脚面に光ディスクのセンターホール近傍をチャックするチャック部を形成するとともに、前記脚の一方の胴部内側に設けられた支持軸のボールネジに、光ディスクのデータ領域を損傷するデータ破壊部を螺合し、このデータ破壊部を支持軸の一端側に設けられた傘歯車機構を介して伝達される回転力により、前記脚の一端側と他端側との間を移動可能に構成してなる、ことを特徴とする光ディスクのデータ破壊装置。
【００２０】請求項５記載の発明では、不要になった光ディスクを廃棄する際、一対の脚の一端側を開き、この開脚面に処理対象の光ディスクを挿入し、この光ディスクのセンターホール近傍をチャック部でチャックし、その状態で一対の脚を把持し、この状態で例えば回転ハンドルなどのようなものを回転させ、傘歯車機構を介して回転力をボールネジに伝達し、これにより支持軸上をデータ破壊部が、例えば脚の一端側から他端側に移動して、該光ディスクの略全面に亘って少なくとも有機色素層および／または反射層によって形成されるデータ領域が簡単に損傷される。また、光ディスクを回転さえることなく、例えば回転ハンドルを回転するようにしているので、その操作性が良い。
【００２１】
【発明の実施の形態】以下、本発明の実施の形態を図１乃至図５に基づき説明する。
【００２２】図１は、本発明の実施の形態による光ディスクのデータ破壊装置の概略正面図、図２は図１の光ディスクのデータ破壊装置の脚を開脚した状態を示す図である。このデータ破壊装置は、一対の脚２−２を、一端２１側が開脚可能となるように他端２２側でボルト・ナットなどの結合手段２３により結合し、前記一端２１側の開脚面に光ディスク１のセンターホール１６近傍を該光ディスク１が回転可能にチャックするチャック部３を設けるとともに、一方の脚２の胴部２４（図示例では下側）の内側に光ディスク１のデータ領域を損傷するデータ破壊部４を、他方の脚２の胴部２４（図示例では上側）の内側に光ディスク１を前記データ破壊部４側に圧接する圧接部５を、それぞれ設けて構成されている。
【００２３】前記チャック部３は、図３に示すように一方の脚２に光ディスク１のセンターホール１６を貫通する凸部３１とチャック面３３を、他方の脚２に前記凸部３１が嵌合する凹部３２とチャック面３３をそれぞれ形成し、両チャック面３３−３３の間で光ディスク１が、回転可能なように若干の隙間ｘが設けられ、チャックするように構成されていれる。
【００２４】前記データ破壊部４は、図４に示すように金属からなりその先端部４１が鋸状の尖がった形状に形成され、これにより光ディスク１のデータ領域を損傷する。一般に光ディスク１は、同心円周上にデータが記録されているので、この光ディスク１のピックアップ移動距離と略同一の円周上を損傷するように前記先端部４１のピッチや形状などを決めるのが好ましい。
【００２５】前記圧接部５は、光ディスク１を前記データ破壊部４側に一定圧力、すなわち、光ディスク１のデータ領域がデータ破壊部４の鋸状の尖がった形状の先端部４１により損傷されるような力で圧接すればよい。この場合、その先端部４１が光ディスク１側に０．５−１ｍｍ程度侵食するようにするのが好ましい。このような圧接部５としては、図５に示すように例えば、筒状の胴部５１内にボール５２を収納し、このボール５２を圧縮バネ５３により一定圧力でデータ破壊部４の鋸状の尖がった形状の先端部４１側に押圧するように形成すればよい。また、これに換えてボールベアリングなどにより形成しても良い。
【００２６】次に、このように構成された光ディスクのデータ破壊装置の動作を説明する。
【００２７】先ず、図２に示すようにこの種装置の一対の脚２−２の一端２１側を開き、この開脚面に廃棄処理対象の光ディスク１を挿入し、この光ディスク１のセンターホール１６をチャック部３の凸部３１にはめ込んだ状態で、凸部３１と凹部３２とを嵌合するように閉じ、前記チャック面３３−３３間に回転可能に光ディスク１をチャックする。この状態で一対の脚２−２と、光ディスク１とを両手でそれぞれ把持し、光ディスク１または／および本装置を回転すれば、圧接部５により光ディスク１は、データ破壊部４の鋸状に尖がった先端４１圧接されながら順次データ破壊部４の先端部４１により、該光ディスク１の略全面に亘って少なくとも有機色素層および／または反射層によって形成されたデータ領域が簡単に損傷される。このようにしてデータ領域が損傷された光ディスク１は、廃却処分されるが、結果的に、記録されているデータの判読は出来なくなる。従って、光ディスク１に記録されたデータが流出することは防止できる。
【００２８】以上のような実施の形態では、不要になった光ディスク１を廃棄する際に、極めて単純小型な構成で、しかも熱源などを用いずに、効果的に能率よく記録されたデータ領域を損傷することができ、従って、記録されているデータの判読を阻止し、データが外部に流出すること防止することができる。また、装置全体が安価なものとなる。
【００２９】次に、図６乃至図８に示す別の実施の形態について説明する。この形態では、前述した実施の形態のものに、別途光ディスクをチャックする把持具を設けたものである。なお、図６乃至図８において図１乃至図５と同じ符号を付した部分は略同一のものを示す。以下相違点を中心に説明する。
【００３０】一対の脚２−２を、一端２１側が開脚可能となるように他端２２側でボルト・ナットなどの結合手段２３により結合し、一方の脚２の胴部２４（図示例では下側）の内側に光ディスク１のデータ領域を損傷するデータ破壊部４を、他方の脚２の胴部２４（図示例では上側）の内側に光ディスク１を前記データ破壊部４側に圧接する圧接部５を、それぞれ設けた本体２０と、一対の把持脚６−６からなり、少なくともその一端６１側が開脚可能に他端６２側でボルト・ナットなどの結合手段６３により結合して形成され、該開脚面に光ディスク１のセンターホール１６近傍をチャックするチャック部７を設けた把持具６０とから構成されている。
【００３１】前記チャック部７は、図８に示すように一方の把持脚６に光ディスク１のセンターホール１６を貫通する凸部７１とチャック面７３を、他方の把持脚６に前記凸部７１が嵌合する凹部７２とチャック面７３をそれぞれ形成し、両チャック面７３−７３の間で光ディスク１が確実にチャックされるように構成されていれる。
【００３２】前記本体２０と把持具６０とは、図８に示すように把持具６０のチャック部７の中心部分に貫通孔７４がそれぞれ設けられ、この貫通孔７４を貫入するように本体２０の各脚２−２の一端２１側に、それぞれ突出部２５が形成され、これら前記本体２０と把持具６０とが互いに回転可能に嵌装するように構成されている。
【００３３】次に、このように構成された光ディスクのデータ破壊装置の動作を説明する。
【００３４】先ず、図７に示すようにこの種装置の本体２０の一対の脚２−２の一端２１側および把持具６０の一対の脚６−６の一端６１側を開き、この開脚面に廃棄処理対象の光ディスク１を挿入し、先ずこの光ディスク１のセンターホール１６を把持具６０の凸部６１にはめ込んだ状態で、凸部６１と凹部６２とを嵌合するように閉じ、その後、本体２０の突出部２５を把持具６０の貫通孔７４に貫入し、これら本体２０と把持具６０とが互いに回転可能に勘装する。その状態で本体２０と、把持具６０とを両手でそれぞれ把持し、本体２０または／および把持具６０を回転すれば、前述した実施の形態のものと同様、順次データ破壊部により、該光ディスク１の略全面に亘って少なくとも有機色素層１２および／または反射層１３によって形成されるデータ領域が簡単に損傷される。
【００３５】以上のような実施の形態では、光ディスク１を素手で把持することなく、本体２０または／および把持具６０を回転するようにしているので、簡単にしかも力を要せずに操作でき、極めてその操作性が良い。
【００３６】次に、図９に示す更に他の実施の形態について説明する。この形態では、光ディスクのデータ領域を損傷するデータ破壊部を移動するようにしたものである。以下相違点を中心に説明する。
【００３７】一対の脚２−２の一端２１側の開脚面に光ディスク１のセンターホール１６近傍をチャックするチャック面３３を有するチャック部３を形成するとともに、前記一方の脚２の胴部２４内側にボールネジ８１が形成された支持軸８を、一端２１側から他端２２側に設ける。この支持軸８のボールネジ８１に、光ディスク１のデータ領域を損傷するデータ破壊部４を螺合する。９は傘歯車機構で、一方の歯車９１は、一方の脚２のチャック部３内の貫通孔３６に挿入された前記支持軸８の先端に、他方の歯車９２は、他方の脚２のチャック部３内の貫通孔３６を貫通するように挿入された例えば回転ハンドル９３の一端に設けられている。従って、回転ハンドル９３を回転すると傘歯車機構３を介して伝達される回転力により、支持軸８は回転し、データ破壊部４はボールネジ８１上を前記脚２の一端２１側と他端２２側との間すなわち、矢印で示すようにハンドルの回転方向により紙面左から右方向に、あるいは紙面右から左方向に移動する。
【００３８】次に、このように構成された光ディスクのデータ破壊装置の動作を説明する。
【００３９】先ず、図９に示すようにこの種装置の一対の脚２−２の一端２１側を開き、この開脚面に廃棄処理対象の光ディスク１を挿入し、先ずこの光ディスク１を、そのセンターホール１６近傍をチャック面３３−３３間でチャックする。この状態で一対の脚２−２を手で把持し、回転ハンドル９３を回転すれば、データ破壊部４はボールネジ８１上を前記脚２の一端２１側と他端２２側との間を移動し、前述した実施の形態のものと同様、順次データ破壊部４により、該光ディスク１の略全面に亘って少なくとも有機色素層１２および／または反射層１３によって形成されるデータ領域が簡単に損傷される。
【００４０】以上のような実施の形態では、光ディスク１を素手で把持することなく、回転ハンドル９３を回転するようにしているので、簡単にしかも力を要せずに操作でき、極めてその操作性が良い。
【００４１】なお、上述した各実施の形態は、本発明の好適な実施の形態の例であるが、これに限定されるものではなく、本発明の要旨を逸脱しない範囲において、種々変形実施可能である。
【００４２】また、本発明は前述したＣＤ−Ｒの他、ＣＤ−ＲＯＭ、ＤＶＤなど何れの光ディスク、すなわち再生専用型、記録型の追記型および書き換え可能型にも適用することができ、記録されたデータが外部に流出するのを防止できる。
【００４３】
【発明の効果】以上説明したように、請求項１記載の発明では、不要になった光ディスクを廃棄する際に、極めて単純小型な構成で、しかも熱源などを用いずに、効果的に能率よく記録されたデータ領域を損傷することができ、従って、記録されているデータの判読を阻止し、データが外部に流出すること防止することができる。この際、データの流出を心配することが不要になるという効果を奏する。更に、従来のものに比べ装置価格が安価なものなる。
【００４４】請求項２記載の発明では、記録されているデータの判読を阻止し、データが外部に流出すること防止することができるのは勿論のこと、圧接部が省略されているので、装置全体がより軽量で、安価なものとなる。
【００４５】また、請求項３記載の発明では、光ディスクを素手で把持することなく、本体または／および把持具を回転するようにしているので、簡単にしかも力を要せずに操作でき、極めてその操作性が良い。
【００４６】また、請求項４記載の発明では、圧接部により光ディスクは、データ破壊部に所定の圧接力により圧接しながら順次データ破壊部により、該光ディスクの略全面に亘って少なくとも有機色素層および／または反射層によって形成されるデータ領域が簡単に、しかも効率よく損傷される。
【００４７】更に、請求項５記載の発明では、光ディスクを素手で把持することなく、例えば回転ハンドルを回転するようにしているので、簡単にしかも力を要せずに操作でき、極めてその操作性が良い。
【図面の簡単な説明】
【図１】本発明による光ディスクのデータ破壊装置の概略正面図である。
【図２】図１のデータ破壊装置の脚を開脚した状態を示す図である。
【図３】図１のデータ破壊装置のチャック部分を拡大して示す拡大断面図である。
【図４】図１のデータ破壊装置のデータ破壊部分を拡大して示す拡大図である。
【図５】図１のデータ破壊装置の圧接部を拡大して示す一部断面拡大図である。
【図６】本発明の他の実施の形態による光ディスクのデータ破壊装置の概略正面図である。
【図７】図６のデータ破壊装置の本体および把持具を開脚した状態を示す図である。
【図８】図６のデータ破壊装置のチャック部分を拡大して示す拡大断面図である。
【図９】本発明の更に他の実施の形態による光ディスクのデータ破壊装置の要部を拡大して示す拡大断面図である。
【図１０】光ディスクの一部を拡大して示す一部拡大断面図である。
【符号の説明】
１    光ディスク（ＣＤ−Ｒ）
１１  基板
１２  有機色素層
１３  反射層
１４  保護膜層
１５  印刷ラベル層
１６  センターホール
２    脚
２０  本体
２１  一端側
２２  他端側
３    チャック部
４    データ破壊部
５    圧接部
６    把持脚
６０  把持具
６１  一端側
６２  他端側
７    チャック部
８    支持軸
８１  ボールネジ
９    傘歯車機構
【図１】
2004171638.tif 000003
【図２】
2004171638.tif 000004
【図３】
2004171638.tif 000005
【図４】
2004171638.tif 000006
【図５】
2004171638.tif 000007
【図６】
2004171638.tif 000008
【図７】
2004171638.tif 000009
【図８】
2004171638.tif 000010
【図９】
2004171638.tif 000011
【図１０】
2004171638.tif 000012